(57)【要約】【課題】取外しの容易性を確保しつつ、安価な構造により、電動オイルポンプ用の配線に対する水分の侵入を抑制する。【解決手段】車両用駆動装置は、電動オイルポンプ（１０）に設けられた第１コネクタ（１８）と、車両の電源回路（４２）と第１コネクタとを接続する配線構造（４０，４１）と、を備える。鉛直方向（Ｚ）において、第１コネクタに接続される配線構造の第１接続部（４０ａ）は、駆動伝達機構の入力軸より下方であり、ケースの外側で電源回路（４２）に接続される配線構造の第２接続部（４１ｂ）は、入力軸より上方である。【選択図】図４
2019173943.tif 000002
【特許請求の範囲】
【請求項１】
駆動源から伝達される回転が入力される入力軸と、前記入力軸に入力された回転を車輪に伝達可能な駆動伝達機構と、前記駆動伝達機構を収容するケースと、電力により作動する電動オイルポンプと、を備える車両用駆動装置であって、
前記電動オイルポンプに設けられた第１コネクタと、
車両の電源回路から前記電動オイルポンプに電力を供給する配線構造であって、前記ケース内に配設されたケーブルと、前記ケースを貫通するように固定された第２コネクタとを有し、前記ケーブルの一端に設けられた第１接続部が前記第１コネクタに接続され、前記ケーブルの他端が前記ケースの内側で前記第２コネクタに接続され、前記第２コネクタに設けられた第２接続部が前記ケースの外側で前記電源回路に接続可能である配線構造と、を備え、
前記電動オイルポンプは、少なくとも一部が前記ケース内に位置し、かつ前記第１コネクタが前記ケースの内側に位置するように前記ケースに装着され、
車両搭載状態において、鉛直方向において、前記第１コネクタが前記入力軸より下方であり、前記第２接続部が前記入力軸より上方である、
車両用駆動装置。
【請求項２】
前記電動オイルポンプは、前記ケースに設けられた開口部に挿入された状態で前記ケースに装着され、前記開口部に対する前記電動オイルポンプの挿入方向と、前記第１コネクタと前記１接続部の接続方向は、同じ方向である、
請求項１に記載の車両用駆動装置。
【請求項３】
前記駆動伝達機構は、前記入力軸に入力された回転を回転軸上で変速して伝達可能な変速機構を有し、
車両の前後方向に視て前記変速機構と重なる位置に配置され、前記電動オイルポンプから供給される油圧を調圧して前記変速機構に供給する油圧制御装置をさらに備え、
前記第１コネクタは、前記前後方向において、前記入力軸を含む車両搭載状態における鉛直面と前記油圧制御装置との間に位置し、
前記ケーブルは、前記第１コネクタから、前記変速機構と前記油圧制御装置との間を通って上方に延びている、
請求項１又は２に記載の車両用駆動装置。
【請求項４】
平坦路において、予め規定された量の油が前記ケースに注入された状態における前記ケース内の油面の位置に対して、前記電動オイルポンプの少なくとも一部が下方に位置し、前記第２接続部が上方に位置する、
請求項１乃至３のいずれか１項に記載の車両用駆動装置。
【発明の詳細な説明】
【技術分野】
【０００１】
電動オイルポンプを備えた車両用駆動装置に関する。
【背景技術】
【０００２】
従来、モータの動力によりポンプを作動させる電動オイルポンプを備えた車両用駆動装置が知られている。特許文献１には、ポンプの吸入ポート及び吐出ポートが変速機内部の油路に連通した状態で、変速機の筐体に外部から固定される電動オイルポンプが記載されている。変速機の外部から電動オイルポンプを着脱可能であれば、ディーラーによるアフターサービス等において電動オイルポンプを交換する場合に、変速機から容易に取り外して交換作業を行うことができる。
【先行技術文献】
【特許文献】
【０００３】
【特許文献１】特開２０１４−８４７７９号公報
【発明の概要】
【発明が解決しようとする課題】
【０００４】
ところで、車両が路面を走行する際には、車輪から飛散した水滴が変速機の付近に到達したり、水溜り等を通過する際に変速機の下部が水に飛散する場合がある。しかしながら、上記文献に記載の構成では、給電用の配線部材が接続される外部接続部が変速機の外部に露出していた。従って、外部接続部として特に防水性が高い構造のコネクタを選択する必要がある等、コスト増大の要因となることがあった。
【０００５】
そこで、安価な構造により、取外しの容易性を確保しつつ、電動オイルポンプ用の配線に対する水分の侵入を抑制することが可能な車両用駆動装置の実現が望まれる。
【課題を解決するための手段】
【０００６】
本技術の一態様は、駆動源から伝達される回転が入力される入力軸と、前記入力軸に入力された回転を車輪に伝達可能な駆動伝達機構と、前記駆動伝達機構を収容するケースと、電力により作動する電動オイルポンプと、を備える車両用駆動装置であって、
前記電動オイルポンプに設けられた第１コネクタと、
車両の電源回路から前記電動オイルポンプに電力を供給する配線構造であって、前記ケース内に配設されたケーブルと、前記ケースを貫通するように固定された第２コネクタとを有し、前記ケーブルの一端に設けられた第１接続部が前記第１コネクタに接続され、前記ケーブルの他端が前記ケースの内側で前記第２コネクタに接続され、前記第２コネクタに設けられた第２接続部が前記ケースの外側で前記電源回路に接続可能である配線構造と、を備え、
前記電動オイルポンプは、少なくとも一部が前記ケース内に位置し、かつ前記第１コネクタが前記ケースの内側に位置するように前記ケースに装着され、
車両搭載状態において、鉛直方向において、前記第１コネクタが前記入力軸より下方であり、前記第２接続部が前記入力軸より上方である。
【発明の効果】
【０００７】
本技術によれば、安価な構造により、取外しの容易性を確保しつつ、電動オイルポンプ用の配線に対する水分の侵入を抑制することができる。
【図面の簡単な説明】
【０００８】
【図１】本開示に係る車両用駆動装置の概略図（ａ）及び自動変速機の側面図（ｂ）。
【図２】図１（ｂ）に図示した位置における自動変速機の断面図（ａ、ｂ）。
【図３】電動オイルポンプの断面構成を示す図２（ｂ）の部分拡大図。
【図４】ポンプ用の配線構造を説明するための側面図（ａ）及び断面図（ｂ）。
【発明を実施するための形態】
【０００９】
以下、図面を参照しながら、本開示の実施形態に係る車両用駆動装置１について説明する。本実施形態の車両用駆動装置１は、図１（ａ）、（ｂ）に示すように、駆動源として内燃機関（Ｅ／Ｇ）２が搭載されるエンジン車両用の駆動装置である。
【００１０】
以下の説明では、特に区別して明記している場合を除き、「上」及び「下」は、車両用駆動装置１を車両に搭載した状態（車両搭載状態）における鉛直方向Ｚについての上下を表すものとする。また、「前」、「後」、「左」、及び「右」についても、車両搭載状態における車両の前後左右を表すものとする。車両用駆動装置１を構成する各要素の位置及び姿勢については、原則、車両搭載状態の車両用駆動装置１に組み付けられた状態における方向を用いて表す。なお、部材の寸法、位置、姿勢等に関する用語は、製造上許容され得る程度の誤差による差異を有する状態も含む概念として用いている。例えば、２つの回転部材の配置に関する「同軸」には、当該２つの回転部材のそれぞれの回転軸が製造誤差等によりずれている状態も含まれ、２つの部材の配置に関して「平行」には、製造誤差等により傾斜している状態（実質的に平行な状態）も含まれる。
【００１１】
また、以下の説明において、部材の形状に関し、ある方向に「延びる」とは、当該方向を基準方向として、部材の延在方向が基準方向に平行な形状に限らず、部材の延在方向が基準方向に交差する方向であっても、その交差角度が所定範囲内（例えば４５度未満）である形状も含む概念として用いている。
【００１２】
また、２つの部材が「ある方向に視て重なる」とは、その視線方向に垂直な仮想平面に２つの部材を投影した平行投影図において、一方の部材の投影領域の少なくとも一部が、他方の部材の投影領域の少なくとも一部と重複することを指す。
【００１３】
１．駆動装置の全体構成
図１（ａ）は車両用駆動装置１の模式図であり、図１（ｂ）は自動変速機５を車両の左方から（図１（ａ）の右側から）視た概略図である。車両用駆動装置１は、内燃機関２と車輪との間で駆動力の伝達を担う駆動伝達機構３と、駆動伝達機構３を収容するケース５１と、電動オイルポンプ１０と、を備えている。内燃機関２は、機関内部における燃料の燃焼により動力を取り出す原動機（例えば、ガソリンエンジン又はディーゼルエンジン）である。また、車両には、電動オイルポンプ１０その他の電力機器に電力を供給する蓄電装置８１が搭載される。
【００１４】
駆動伝達機構３は、駆動源と車輪とを結ぶ動力伝達経路に配置され、協働して駆動源の駆動力を車輪に伝達する一群の装置や部材を指す。本実施形態の駆動伝達機構３は、トルクコンバータ（Ｔ／Ｃ）４及び自動変速機５を備える。トルクコンバータ４は、内燃機関２の出力軸にダンパ又はロックアップクラッチを介して連結されるポンプインペラと、自動変速機５の変速入力軸に連結されたタービンランナと、ケース５１に対して固定されたステータとを備え、作動流体であるＡＴＦ（Ａｕｔｏｍａｔｉｃ  Ｔｒａｎｓｍｉｓｓｉｏｎ  Ｆｌｕｉｄ、以下、単に「油」とする）を介して内燃機関２から自動変速機５にトルクを伝達する。
【００１５】
自動変速機５は、トルクコンバータ４から入力される回転を変速し、駆動輪である車輪の車軸に出力する。トルクコンバータ４及び自動変速機５は、トルクコンバータ４を覆うトルコンハウジング、自動変速機５のケース５１、及び後述の油圧制御装置のカバー部材７１等によって構成される筐体に収容されている。
【００１６】
図１（ｂ）に示すように、自動変速機５は、変速機構５２と、カウンタギヤ５３と、差動歯車機構５４と、油圧制御装置７と、を備えている。変速機構５２は、同一の軸心を中心に回転する変速入力軸及び変速出力部材を有し、トルクコンバータ４から変速入力軸に入力された回転を、特定の変速比で変速して変速出力部材に伝達する。本実施形態の変速機構５２は自動有段変速機構である。即ち、変速機構５２は油圧式の係合装置を複数備え、各係合装置の係合状態を油圧制御装置７から供給される油圧を用いて制御することにより、複数の変速段のいずれかを実現するように構成される。変速入力軸は、本実施形態において駆動源から伝達される回転が入力される入力軸に相当する。
【００１７】
変速機構５２の変速出力部材は、カウンタギヤ５３を介して、差動歯車機構５４に駆動連結されている。ただし、「駆動連結」とは、２つの回転要素が駆動力を伝達可能に連結された状態を指し、当該２つの回転要素が一体的に回転する場合、及び当該２つの回転要素の間で伝動機構を介して駆動力が伝達される場合を含む概念として用いている。このような伝動機構としては、例えば、軸継手、歯車、ベルト、チェーン等が挙げられる。また、伝動機構には、回転及び駆動力の伝達状態を変更可能であるもの（例えば摩擦係合装置や噛み合い式係合装置）が含まれていてもよい。
【００１８】
差動歯車機構５４は差動機構の一例であり、カウンタギヤ５３から入力されるトルクを、遊星歯車機構により左右の車軸に分配し、駆動輪である車輪（本実施形態の場合は左右の前輪）に伝達する。このように、車両用駆動装置１は、変速入力軸に入力された回転を、変速機構５２によって変速し、カウンタギヤ５３及び差動歯車機構５４を介して車軸に出力する。これにより、内燃機関２が生み出したトルクが車輪に伝達され、車両を走行させるための駆動力として利用される。
【００１９】
変速機構５２を構成する回転部材（例えば、変速入力軸及び変速出力ギヤ）の回転軸である第１軸心Ｘ１と、カウンタギヤ５３の回転軸である第２軸心Ｘ２と、差動歯車機構５４の回転軸である第３軸心Ｘ３とは、互いに平行に配置されている。鉛直方向Ｚにおいて、上方から下方に向かって第２軸心Ｘ２、第１軸心Ｘ１、第３軸心Ｘ３の順に配置される。また、特定水平方向Ｙにおいて、一方側から第１軸心Ｘ１、第２軸心Ｘ２、第３軸心Ｘ３の順に配置されている。ここで、特定水平方向Ｙは、鉛直方向Ｚ及び各軸心Ｘ１〜Ｘ３に垂直な方向を指す。つまり、車両搭載状態における各軸心Ｘ１〜Ｘ３の軸方向が車両の左右方向であるとき、特定水平方向Ｙは車両の前後方向に相当する。
【００２０】
２．電動オイルポンプ
次に、駆動伝達機構３における油の循環及び電動オイルポンプの作用について説明する。図１（ａ）、（ｂ）に示すように、車両用駆動装置１は、駆動伝達機構３に油圧を供給する供給源として、蓄電装置８１から供給される電力によって駆動される電動オイルポンプ１０と、内燃機関２から伝達される機械的動力によって駆動される機械式オイルポンプ（不図示）とを備えている。
【００２１】
電動オイルポンプ１０及び機械式オイルポンプのそれぞれは、ケース５１の下部に配置されたストレーナ３０を介して油を吸入し、油を加圧して吐出する。ストレーナ３０は、ケース内の油を濾過するための装置である。本実施形態では、ケース５１の内部空間の下部領域が油貯留部として機能し、ストレーナ３０はこの油貯留部に配置されている。
【００２２】
電動オイルポンプ１０又は機械式オイルポンプから吐出された油は、油圧制御装置７に導かれる。油圧制御装置７は、特定水平方向Ｙに視て変速機構５２と重なる位置に設けられ、例えば図１（ｂ）に示すように鉛直方向Ｚに沿った起立姿勢で配置される。油圧制御装置７は、特定水平方向Ｙに開口したケース５１の開口部に配置され、当該開口部がカバー部材７１に覆われることで、密閉されたケース５１の内部空間に収容される。
【００２３】
油圧制御装置７は、電動オイルポンプ１０又は機械式オイルポンプから供給される油圧を調圧して、駆動伝達機構３の各部に供給する。油圧制御装置７の本体であるバルブボディは、電動オイルポンプ１０や機械式オイルポンプの吐出圧をライン圧に制御するライン圧制御弁や、変速機構５２の変速用係合装置に供給される油圧を制御するための複数の油圧制御弁を備え、ケース５１等に形成された油路を介して、油圧で作動する装置（例えば、変速用係合装置のピストンを動作させるための油室）に供給する。また、油圧制御装置７は、調圧時に排出される余剰の油を用いて、駆動伝達機構３の各部を潤滑及び冷却する。駆動伝達機構３から排出された油は、油貯留部であるケース５１の下部領域に再び貯留される。このようにして、油はケース５１の内部で循環させられる。
【００２４】
本実施形態における電動オイルポンプ１０の構成について詳しく説明する。図２（ａ）、（ｂ）は、図１（ｂ）に示す切断線Ａ−Ａ，Ｂ−Ｂの位置における自動変速機５の断面図である。ただし、油圧制御装置７の図示は省略している。図３は、図２（ｂ）を拡大した拡大断面図である。
【００２５】
図２（ａ）、（ｂ）に示すように、電動オイルポンプ１０はケース５１の開口部５１ａに挿入され、かつ一部がケース５１の外側に露出した状態でケース５１に固定される。従って、電動オイルポンプ１０は、駆動伝達機構３と一体に組み立てられたユニットとして車両に搭載される。電動オイルポンプ１０としては、例えば、内接歯車ポンプ、外接歯車ポンプ、或いはベーンポンプ等を用いることができる。
【００２６】
本実施形態では、電動オイルポンプ１０が内接歯車ポンプであるものとして説明する。この電動オイルポンプ１０は、大まかに内接歯車方式のポンプ本体１３と、ポンプ本体１３を作動させるモータ１２と、モータ１２を駆動制御するドライバ１６とを備える。
【００２７】
図３に示すように、ポンプ本体１３は、インナーロータ２１と、アウターロータ２２と、ポンプハウジング２３と、ポンプカバー１４と、軸支持部１５と、を備える。アウターロータ２２は内歯車を有し、インナーロータ２１にはこの内歯車に噛み合う外歯車を有する。インナーロータ２１はポンプ軸１１の回転軸線を中心にポンプ軸１１と一体的に回転する。アウターロータ２２は、インナーロータ２１に対して偏心した状態で、ポンプハウジング２３により回転可能に支持されている。
【００２８】
ポンプ軸１１は、軸支持部１５により回転可能に支持されている。インナーロータ２１とアウターロータ２２との間に形成される油室（セル）は、ポンプ軸１１の軸方向における一方の側面を軸支持部１５によって塞がれている。また、軸方向の他方側に配置されたポンプカバー１４には、ポンプ軸１１に対して所定の回転位相に到達したセルが連通する位置に、吸入ポートＰ１及び吐出ポートＰ２が形成されている。吸入ポートＰ１は、油路構成部材３１に形成された油路を介してストレーナ３０（図１（ｂ））に連通しており、ストレーナ３０によって濾過された油の吸入経路となる。吐出ポートＰ２は、油路構成部材３１に形成された別の油路を介して油圧制御装置７に連通しており、油圧制御装置７への加圧油の供給経路となる。
【００２９】
このような構成のポンプ本体１３は、ポンプ軸１１の回転に伴ってストレーナ３０を介して油貯留部の油を吸入し、加圧した油を油圧制御装置７へ吐出する。なお、油路構成部材３１は、機械式オイルポンプ又はケース５１の一部であってもよく、これらとは独立に設けられた部材であってもよい。
【００３０】
本実施形態のモータ１２は、電動オイルポンプに使用可能なモータの一例であり、以下の説明ではブラシレスＤＣモータであるものとする。モータ１２は、ポンプ軸１１と一体的に回転するロータ２８と、ロータ２８の外周側に配置され、電動オイルポンプ１０のケーシング１７に対して固定されたステータ２７とによって構成される。ロータ２８には、周方向に複数の永久磁石が配列されている。ステータ２７は、積層された電磁鋼板等のステータコアにコイル２６が巻き回されて構成され、ドライバ１６からコイル２６に供給される電流によって回転する磁界を発生させる。この回転する磁界とロータ２８が有する永久磁石との相互作用によりロータ２８が回転し、ポンプ軸１１を介してポンプ本体１３に回転が伝達される。
【００３１】
ここで、ポンプ軸１１はポンプ本体１３及びモータ１２を貫通するように配置されているが、ポンプ本体１３と前記モータ１２とは、シール部材を用いることなく隔絶されている。まず、ポンプ軸１１の外周面は、軸支持部１５の内周面に対して油密状に当接している。また、軸支持部１５はケーシング１７に嵌合しており、軸支持部１５の嵌合面はケーシング１７の嵌合面に対して油密状に当接している。これにより、モータ１２が収容される空間が油密状となり、ポンプ本体１３の内部で流れる油（及び、ケース５１の内側で電動オイルポンプ１０の外面に接する油）が、モータ１２に掛かることが防がれる。
【００３２】
本実施形態の制御基板に相当するドライバ１６は、絶縁材料で形成された配線板１６ａと、配線板１６ａに配置された複数の電子部品１６ｂとを備え、接続線を介してモータ１２の各コイル２６に接続されている。電子部品１６ｂには、インバータ回路を構成するスイッチング素子や、プログラムに従ってインバータ回路を制御するマイクロプロセッサが含まれる。詳しくは後述するように、電動オイルポンプ１０はケース５１の内側に配置されたコネクタ１８を有し、コネクタ１８に接続される給電ケーブルを介して車両の蓄電装置８１（図１（ａ））に接続される。ドライバ１６は、蓄電装置８１から供給される直流の電力を用いて、パルス幅変調等の方法により波形制御された駆動電流をコイル２６に供給することにより、モータ１２の動作を制御する。
【００３３】
電動オイルポンプ１０は、ポンプ軸１１が変速機構５２の変速入力軸等と平行になる姿勢で、ケース５１の底部付近に配置されている。即ち、ポンプ軸１１の回転軸である第４軸心Ｘ４は、第１〜第３軸心Ｘ１〜Ｘ３と平行に延びている。第４軸心Ｘ４は、鉛直方向Ｚにおいて第３軸心Ｘ３よりも下方（従って第１軸心Ｘ１よりも下方）に配置されている（図２（ｂ））。また、第４軸心Ｘ４は、特定水平方向Ｙにおいて第１軸心Ｘ１と油圧制御装置７との間に位置する（図１（ｂ））。
【００３４】
３．ポンプ取付構造
電動オイルポンプ１０を駆動伝達機構３に組み付け、或いは取外しを行うための構成について説明する。上述した通り、電動オイルポンプ１０は、駆動伝達機構３のケースに部分的に挿入された状態でケースに固定される。
【００３５】
図３に示すように、電動オイルポンプ１０は、ポンプ本体１３、モータ１２、及びドライバ１６がポンプ軸１１の軸方向に沿って順に並ぶ構成である。電動オイルポンプ１０は、ケース５１の外側から内側に向かって、ポンプ本体１３がケース５１の内部空間に位置するように開口部５１ａに挿入される。以下、開口部５１ａに電動オイルポンプ１０を挿入する方向を電動オイルポンプ１０の「挿入方向Ｄ１」（図３の左方向）とする。本実施形態の挿入方向Ｄ１は、第１〜第４軸心Ｘ１〜Ｘ４と実質的に平行（駆動伝達機構の入力軸の軸方向と同じ）である。
【００３６】
電動オイルポンプ１０のポンプカバー１４、ポンプハウジング２３、軸支持部１５、及びケーシング１７は、挿入方向Ｄ１に延びる略円柱形状の円筒部１０ａを構成している。ケース５１の開口部５１ａは、軸方向から視た円筒部１０ａの外形に対応する形状であり、装着状態において円筒部１０ａがケース５１の内側に挿入される。
【００３７】
また、電動オイルポンプ１０は、ケーシング１７の一部が円筒部１０ａから径方向外側（外周側）に延在するフランジ部１０ｆを有する。このフランジ部１０ｆが開口部５１ａの周囲でケース５１の外面５１ｓに当接することにより、挿入方向Ｄ１に関して電動オイルポンプ１０が位置決めされる。以下、フランジ部１０ｆがケース５１の外面５１ｓに当接する位置を、本実施形態における電動オイルポンプ１０の「装着位置」とする。
【００３８】
ケース５１の外面５１ｓと、この外面５１ｓに対向するフランジ部１０ｆの対向面１７ｓとの間には、本実施形態の「シール部材」である面シール２４が配置される。面シール２４は、開口部５１ａの周囲でケース５１の外面５１ｓと対向面１７ｓとの隙間を封止する。つまり、開口部５１ａの付近において、挿入方向における面シール２４の位置（シール位置Ｓ１）を境界にして、ケース５１の内部空間とケース５１の外側とが隔てられている。面シール２４としては、例えば、対向面１７ｓに形成された溝に装着されたＯリングを用いることができる。
【００３９】
なお、シール部材として、円筒部１０ａと開口部５１ａの壁面とを封止するものを用いてもよい。ただし、この構成ではシール部材の摺動摩擦に抗して電動オイルポンプ１０を開口部５１ａに挿入する必要がある。一方、本実施形態のような面シール２４を用いれば、摺動摩擦に妨げられることなく、容易に電動オイルポンプ１０を装着位置まで挿入することができる。なお、後述のボルト１０ｂにより電動オイルポンプ１０をケース５１に締結する締結力により、面シール２４がシール対象面（１７ｓ，５１ｓ）に密着した状態となる。
【００４０】
ここで、電動オイルポンプ１０が装着位置にある状態で、ドライバ１６の少なくとも一部が、ケース５１の外側に位置する。これにより、走行中に高油温環境となるケース５１の内部からドライバ１６を離間させ、ドライバ１６の冷却性を確保することができる。具体的には、特定水平方向Ｙに見た断面において、ドライバ１６の配線板１６ａがシール位置Ｓ１よりも挿入方向Ｄ１の上流にあると好適である。また、図示した配置のように、電子部品１６ｂを含めたドライバ１６の全体がシール位置Ｓ１よりも挿入方向Ｄ１の上流にあるとさらに好適である。このような配置により、ケース内の油からの熱伝導によるドライバ１６の加熱を低減可能である。また、ドライバ１６を覆うカバー部材３６が外気に触れているため、ドライバ１６を効果的に冷却することができる。さらに、ドライバ１６の過熱の虞が小さいことから、配線板１６ａ及び電子部品１６ｂに要求される耐熱性の水準が緩和され、設計の自由度が増してコスト低減につながる。
【００４１】
ドライバ１６が収容される空間と、モータ１２が収容される空間とは、電動オイルポンプ１０のケーシング１７の一部によって隔絶されている。即ち、ケーシング１７は、挿入方向Ｄ１においてドライバ１６とモータ１２との間に位置する隔壁部１０ｅを有し、この隔壁部１０ｅがドライバ１６への油の侵入を防いでいる。隔壁部１０ｅは、挿入方向Ｄ１に視たとき、少なくともドライバ１６とモータ１２とが重なっている範囲をカバーする、略円形状の領域を指す。また、隔壁部１０ｅがポンプ軸１１に対する径方向外側に延設されることで、上記フランジ部１０ｆが形成されている。なお、隔壁部１０ｅは、本実施形態における「隔壁」であるが、「隔壁」はケーシング１７のように電動オイルポンプ１０の外殻となる部材とは別部材であってもよい。
【００４２】
ドライバ１６を覆うカバー部材３６は、金属材料で構成され、ドライバ１６を保護する。カバー部材３６及びケーシング１７は、ポンプ軸１１の軸心を囲むように配置される複数のボルト１０ｂ（図１（ｂ）参照）により、ケース５１に対して共締めされる。これにより、電動オイルポンプ１０がケース５１に固定される。ボルト１０ｂは本実施形態の「締結具」である。各ボルト１０ｂは、ケース５１の外側から着脱操作可能な位置、つまり、電動オイルポンプ１０が組み付けられた状態の自動変速機５を挿入方向Ｄ１の上流側から視た際に露出する位置に配置される。
【００４３】
ドライバ１６がケース５１の外側に配置されるのに対し、本実施形態のコネクタ１８は、ケース５１の内側に配置される。つまり、仮に給電ケーブルを取り外したとすると（図３の状態）、コネクタ１８の端子１９が、面シール２４によってケース外部から隔離されたケース５１の内部空間に露出する配置となっている。従って、給電ケーブルとコネクタ１８とは、ケース５１の内側で接続される。なお、端子１９は、電動オイルポンプ１０のケーシング１７と樹脂材料等によって一体的に形成されるカバーによって覆われている。
【００４４】
このようにコネクタ１８をケース５１の内側に配置することで、カバー部材３６に水滴や泥が付着したり、さらにはケース５１の下部が水没したりする場合であっても、給電ケーブルとコネクタ１８との隙間に水が侵入することを防ぐことができる。つまり、ドライバ１６がケース５１の外側に配置する一方で、コネクタ１８をケース５１の内側に配置したため、ドライバ１６の放熱性を確保しつつ、コネクタ１８の防水性を高めることが可能になっている。また、コネクタ１８がケース５１の外部に露出していないため、車輪に跳ね上げられた小石等によりコネクタ１８がダメージを受ける可能性が低減される。
【００４５】
なお、ドライバ１６は、電動オイルポンプ１０のケーシング１７とカバー部材３６とによって形成される空間に配置されている。ケーシング１７とカバー部材３６との間に設けられたシール部材２５によってこの空間が密閉されることで、ドライバ１６の防水性が確保されている。
【００４６】
４．ポンプ配線構造
次に、電動オイルポンプ１０の配線構造について説明する。図１（ａ）に模式的に示すように、電動オイルポンプ１０は、車両の電源である蓄電装置８１から電力供給を受けるように構成される。駆動伝達機構３のケース５１には外部コネクタ４１が設けられ、蓄電装置８１から延びる電源線４２が外部コネクタ４１に接続される。そして、外部コネクタ４１と電動オイルポンプ１０のコネクタ１８とが、ケース５１の内部を配索される給電ケーブル４０によって接続されることで、電動オイルポンプ１０が蓄電装置８１に電気的に接続される。
【００４７】
給電ケーブル４０及び外部コネクタ４１は、本実施形態の「配線構造」であり、蓄電装置８１及び電源線４２は、本実施形態の「電源回路」である。また、電動オイルポンプ１０のコネクタ１８を本実施形態の「第１コネクタ」としたとき、外部コネクタ４１は、本実施形態の「第２コネクタ」に相当する。
【００４８】
図４（ａ）、（ｂ）を用いて配線構造の詳細を説明する。図４（ａ）は、変速機構５２の軸方向から視た自動変速機５の模式図であり、給電ケーブル４０の配線経路を模式的に表している。図４（ｂ）は、図４（ａ）に示す切断線Ａ−Ａの位置において、特定水平方向Ｙを向いて視た断面図である。
【００４９】
図４（ａ）における波状の仮想線は、車両が冠水した場合の水面を表しており、基準水位Ｌｗは、駆動伝達機構３が許容できる水位の上限を表している。例えば、ケース５１に配置されケース内の気圧を調整するブリーザは、鉛直方向Ｚにおいて基準水位Ｌｗより上方となるように配置される。ただし、基準水位Ｌｗは、車両全体の設計により、同一構成の駆動伝達機構３であっても異なる位置に設定される場合があり、図示したものは基準水位の一例を示している。水面を表す仮想線及び基準水位Ｌｗについての定義は、図１（ｂ）において共通である。
【００５０】
また、図４（ｂ）における波状の仮想線は、油圧の供給が停止した状態における油面を表し、静止油面位置Ｌｆは鉛直方向Ｚにおける油面の平均高さを表している。ただし、油圧の供給が停止した状態とは、電動オイルポンプ１０及び機械式オイルポンプの駆動の両方が停止しており、かつ、停止前に変速機構５２等に供給されていた潤滑油が重力により流下して、ケース５１の下部領域に貯留された状態を指す。また、静止油面位置Ｌｆは、推奨すべき油量として予め規定された量の油がケース５１に注入され、かつ車両が平坦路にある状態で測定されるものとする。油面を表す仮想線及び静止油面位置Ｌｆについての定義は、図２の各図及び図３において共通である。
【００５１】
図４（ａ）、（ｂ）に示すように、外部コネクタ４１は、ケース５１の内部で給電ケーブル４０に接続される第１端子４１ａと、ケース５１の外部で電源線４２に接続される第２端子４１ｂと、第２端子４１ｂを覆う端子カバー４１ｃとを有する。外部コネクタ４１はＬ字状の形状を有し、第１端子４１ａが鉛直方向Ｚの下方に向かって開放され、第２端子４１ｂが水平方向に向かって開放されている。図示した構成例の場合、第２端子４１ｂは特定水平方向Ｙに向かって開放されている。
【００５２】
外部コネクタ４１はケース５１の上部に配置され、ケース５１に形成された開口部に固定されている。具体的には、第１端子４１ａの位置が第２軸心Ｘ２より上方である。また、特定水平方向Ｙにおいて、第１端子４１ａは、油圧制御装置７を覆うカバー部材７１とケース５１との接合面と第１軸心Ｘ１との間に位置する。
【００５３】
給電ケーブル４０は、電線が絶縁体によって被覆されたケーブルであり、ケース５１の内部を大まかに上下に配索されて電動オイルポンプ１０と外部コネクタ４１とを接続している。つまり、給電ケーブル４０のポンプ側端子４０ａは、ケース５１内の下部において電動オイルポンプ１０のコネクタ１８に接続されている。また、給電ケーブル４０の電源側端子４０ｂは、ケース５１内の上部において、外部コネクタ４１の第１端子４１ａと接続されている。なお、図示した構成例では電動オイルポンプ１０のコネクタ１８が第４軸心Ｘ４より上方に位置するが、第４軸心Ｘ４より下方に配置されていてもよい（破線参照）。
【００５４】
ここで、外部コネクタ４１の第２端子４１ｂは、ケース５１の内側で電動オイルポンプ１０に接続されている配線構造が、ケース５１の外側に延出して、車両の電源回路に接続される接続部として機能する。つまり、給電ケーブル４０のポンプ側端子４０ａを配線構造の「第１接続部」としたとき、第２端子４１ｂは配線構造の「第２接続部」に相当する。
【００５５】
本実施形態では、第２端子４１ｂが、少なくとも変速機構５２の回転軸心である第１軸心Ｘ１より上方に配置される。第２端子４１ｂは、駆動伝達機構３を構成する各機構の回転軸心Ｘ１〜Ｘ３の内、最も上方に位置するもの（本実施形態の場合、第２軸心Ｘ２）より上方に配置することが好ましい。また、油圧制御装置７を覆うカバー部材７１とケース５１との接合面の最高位置と重なる位置、又はそれより高い位置に第２端子４１ｂを配置すると好適である。
【００５６】
また、電源線４２との接続の容易さを向上し、かつ稼働中に高温となり得る内燃機関２からの距離を確保する観点から、外部コネクタ４１は、変速機構５２の軸方向において内燃機関２から遠い側、かつ鉛直方向Ｚにおいて上方側のケース周縁部に配置すると好適である。このケース周縁部とは、外部コネクタ４１を通る断面を特定水平方向Ｙから視た場合において、ケース５１の上面部５１ｃ（図４（ｂ）参照）と内燃機関２から遠い側の側面部５１ｄとが交わる部分を指す。また、本実施形態のように上面部５１ｃと側面部５１ｄとが傾斜面５１ｅによって接続された断面形状を有する場合、傾斜面５１ｅが周縁部に対応する。
【００５７】
図４（ａ）、（ｂ）に示すように、ケース５１の内部において、給電ケーブル４０は配索方向における複数の位置においてクランプ３７ａ，３７ｂに保持されることで、配索経路を規定されている。「保持部」の一例であるクランプ３７ａ，３７ｂは、ケース５１、又は変速機構５２の外郭を構成するドラム状部材等に取付けられている。
【００５８】
給電ケーブル４０は変速機構５２と油圧制御装置７との間の空間を用いて配索される。電動オイルポンプ１０は、変速機構５２の下方に、鉛直方向Ｚに視て変速機構５２と少なくとも一部が重なるように配置される。コネクタ１８は、特定水平方向Ｙにおいて、車両搭載状態における第１軸心Ｘ１を含む鉛直面と油圧制御装置７との間に位置する。給電ケーブル４０は、コネクタ１８から変速機構５２を避けるように湾曲した形状を描くように上方に延びている。そして、図４（ｂ）の視点で変速機構５２と油圧制御装置７とが重なる領域において、給電ケーブル４０は特定水平方向Ｙにおける変速機構５２と油圧制御装置７との間を通過する。つまり、特定水平方向Ｙに視て、給電ケーブル４０は、油圧制御装置７と重なる部分及び変速機構５２と重なる部分を有している。
【００５９】
なお、本実施形態において、電動オイルポンプ１０の挿入方向Ｄ１と、コネクタ１８と給電ケーブル４０のポンプ側端子４０ａとの接続が行われる接続方向とは同じ方向である。また、クランプ３７ａ，３７ｂの内、ポンプ側端子４０ａに最も近いクランプ３７ｂにより、ポンプ側端子４０ａを、電動オイルポンプ１０の挿入方向Ｄ１への移動を規制した状態で、かつ挿入方向Ｄ１の上流側に向けた姿勢で保持させると好適である。クランプ３７ｂにより保持されるポンプ側端子４０ａの位置は、電動オイルポンプ１０が装着位置にある場合にコネクタ１８と接続される位置とする。これにより、電動オイルポンプ１０をケース５１の開口部５１ａに挿入する動作により、電動オイルポンプ１０のコネクタ１８と給電ケーブル４０のポンプ側端子４０ａとが自動的に接続されるため、製造時の生産性やポンプ交換時の作業性を向上可能である。
【００６０】
この場合において、クランプ３７ｂ及びコネクタ１８の少なくとも一方に、挿入方向Ｄ１に沿って端子１９，４０ａ（図３も参照）を接続相手の端子に近づく方向に付勢するバネ等の付勢部材を配置することで、端子同士をより確実に接触させることが可能である。また、電動オイルポンプ１０をケース５１から取り外した状態で挿入方向Ｄ１に視たとき、給電ケーブル４０のポンプ側端子４０ａがケース５１の開口部５１ａの内側に露出するように配置すると好適である。
【００６１】
５．本実施形態のまとめ
本実施形態は、駆動源（２）から伝達される回転が入力される入力軸と、前記入力軸に入力された回転を車輪に伝達可能な駆動伝達機構（３）と、前記駆動伝達機構（３）を収容するケース（５１）と、電力により作動する電動オイルポンプ（１０）と、を備える車両用駆動装置（１）であって、
前記電動オイルポンプ（１０）に設けられた第１コネクタ（１８）と、
車両の電源回路（４２）から前記電動オイルポンプ（１０）に電力を供給する配線構造（４０，４１）であって、前記ケース（５１）内に配設されたケーブル（４０）と、前記ケース（５１）を貫通するように固定された第２コネクタ（４１）とを有し、前記ケーブル（４０）の一端に設けられた第１接続部（４０ａ）が前記第１コネクタ（１８）に接続され、前記ケーブル（４０）の他端が前記ケース（５１）の内側で前記第２コネクタ（４１）に接続され、前記第２コネクタ（４１）に設けられた第２接続部（４１ｂ）が前記ケース（５１）の外側で前記電源回路（４２）に接続可能である配線構造と、を備え、
前記電動オイルポンプ（１０）は、少なくとも一部が前記ケース内に位置し、かつ前記第１コネクタが前記ケースの内側に位置するように前記ケースに装着され、
車両搭載状態において、鉛直方向（Ｚ）において、前記第１コネクタ（１８）が前記入力軸より下方であり、前記第２接続部が前記入力軸より上方である。
【００６２】
この構成により、電動オイルポンプが部分的にケースに挿入される場合において、ポンプ用の配線構造に対する水分の侵入を簡単な構成で低減することが可能となる。即ち、第１コネクタがケースの内側に位置するため、第１コネクタに対する配線構造の接続部（第１接続部）への水分の侵入が防がれる。また、ケースの外側に露出する第２接続部が、少なくとも変速機構の回転軸より上方に位置するため、車両の電源回路に対する配線構造の接続部（第２接続部）への水分の侵入が低減される。
【００６３】
また、本実施形態において、前記電動オイルポンプ（１０）は、前記ケース（５１）に設けられた開口部（５１ａ）に挿入された状態で前記ケース（５１）に装着され、前記開口部（５１ａ）に対する前記電動オイルポンプ（１０）の挿入方向（Ｄ１）と、前記第１コネクタ（１８）と前記１接続部（４０ａ）の接続方向は、同じ方向である。
【００６４】
この構成によれば、ケースの開口方向と、第１コネクタ及び第１接続部の接続方向とが同じであるため、電動オイルポンプをケースの開口部に挿入する際に、同時に電動オイルポンプが配線構造に接続されることになり、電動オイルポンプの組付けを容易に行うことができる。
【００６５】
また、本実施形態において、前記駆動伝達機構（３）は、前記入力軸に入力された回転を回転軸（Ｘ１）上で変速して伝達可能な変速機構（５２）を有し、
車両の前後方向（Ｙ）に視て前記変速機構（５２）と重なる位置に配置され、前記電動オイルポンプ（１０）から供給される油圧を調圧して前記変速機構（５２）に供給する油圧制御装置（７）をさらに備え、
前記第１コネクタ（１８）は、前記前後方向（Ｙ）において、前記入力軸を含む車両搭載状態における鉛直面と前記油圧制御装置（７）との間に位置し、
前記ケーブル（４０）は、前記第１コネクタ（１８）から、前記変速機構（５２）と前記油圧制御装置（７）との間を通って上方に延びている。
【００６６】
この構成により、電動オイルポンプのコネクタがケースの内側に位置する構成において、変速機構と油圧制御装置との間の空間を給電用の配線構造の配索経路として有効に活用することができ、車両用駆動装置の小型化に貢献する。
【００６７】
また、本実施形態において、平坦路において、予め規定された量の油が前記ケース（５１）に注入された状態における前記ケース内の油面の位置（Ｌｆ）に対して、前記電動オイルポンプ（１０）の少なくとも一部が下方に位置し、前記第２接続部（４１ｂ）が上方に位置する。
【００６８】
この構成では、電動オイルポンプの少なくとも一部が規定の油面の位置より低い位置に配置するため、電動オイルポンプが油を吸入する際の吸入経路の長さが抑えられ、電動オイルポンプの駆動効率が向上する。これと同時に、第２接続部を規定の油面位置より上方に配置することで、車両の電源回路に対する配線構造の接続部への水分の侵入を低減することが可能である。
【００６９】
６．その他の実施形態
上述した形態以外の実施形態について説明する。なお、以下のそれぞれの実施形態で開示される構成は、矛盾が生じない限り、他の実施形態で開示される構成と組み合わせて適用することも可能である。
【００７０】
（１）上記の実施形態では、電動オイルポンプと車両の電源回路とを接続するための配線構造が、給電ケーブル４０と外部コネクタ４１とによって構成されるものとして説明した。しかしながら、給電ケーブル４０がケースに形成された開口部に挿通され、給電ケーブル４０の電源側端子がケースの外部に露出する構成としてもよい。
【００７１】
（２）上記の実施形態では、ケース内部を配索される給電ケーブル４０とケース外の電源回路とが、第２コネクタとしての外部コネクタ４１によって接続されるものとして説明した。しかしながら、第２コネクタはケースの内側と外側の配線を接続するものであればよく、例えばケースに固定された端子ボックスのようなものであってもよい。
【００７２】
（３）上記の実施形態では、第４軸心Ｘ４が第１軸心Ｘ１と平行に配置された構成を例として説明した。しかし、本技術はこれに限定されず、第４軸心Ｘ４が、第１軸心Ｘ１に対して交差する向きに配置される構成とすることもできる。
【００７３】
（４）上記の実施形態では、機械式オイルポンプと電動オイルポンプ１０とが併用されるものとして説明した。しかしながら、車両用駆動装置が、油圧供給源として電動オイルポンプのみを備える構成としてもよい。また、電動オイルポンプは１つに限らず、複数搭載されていてもよい。
【００７４】
（５）上記の実施形態では、内燃機関２と変速機構５２とを結ぶ動力伝達経路に、トルクコンバータ４が設けられる構成について説明したが、例えばトルクコンバータに代えて、係合装置及び回転電機が配置されるハイブリッド車両用の駆動装置に本技術を適用してもよい。この場合、内燃機関２及び回転電機が車両の駆動源であり、いずれかの駆動源の駆動を変速機構５２に伝達する係合装置は、駆動伝達機構３の一部を構成する。また、駆動源として、回転電機のみを備える電動車両に本技術を適用してもよい。
【００７５】
（６）その他の構成に関しても、本明細書において開示された実施形態は全ての点で例示であって、本発明の実施形態はこれに限定されない。すなわち、本願の特許請求の範囲に記載されていない構成に関しては、本発明の目的を逸脱しない範囲内で適宜改変することが可能である。
【産業上の利用可能性】
【００７６】
本発明は、電力により作動する電動オイルポンプを備えた任意の車両用駆動装置に利用することができる。
【符号の説明】
【００７７】
１…車両用駆動装置／２…駆動源（内燃機関）／３…駆動伝達機構／７…油圧制御装置／１０…電動オイルポンプ／１８…第１コネクタ（コネクタ）／４０，４１…配線構造、ケーブル、第２コネクタ（給電ケーブル、外部コネクタ）／４０ａ…第１接続部（ポンプ側端子）／４１ｂ…第２接続部（第２端子）／４２…電源回路（電源線）／５１…ケース／５１ａ…ケースの開口部／５２…変速機構／Ｄ１…挿入方向／Ｌｆ…油面の位置（静止油面位置）／Ｘ１…変速機構の回転軸（第１軸心）／Ｙ…車両の前後方向（特定水平方向）／Ｚ…鉛直方向
【図１】
2019173943.tif 000003
【図２】
2019173943.tif 000004
【図３】
2019173943.tif 000005
【図４】
2019173943.tif 000006